(57)【要約】      （修正有）【課題】防水効果を達成するワイヤレス撮像レンズ構造を提供する。【解決手段】収容体１１と、レンズモジュール１２と、センシングモジュール１３と、緩衝具１４と、ケーシング１５とによって組み合わされる。そのうち、収容体１１に第１収容溝１１１と、第２収容溝１１２とを設けていて、かつ、レンズモジュール１２と、センシングモジュール１３とを設けられた第１収容溝１１１と、第２収容溝１１２に防水グルーを注入する。これによって、防水効果を達成する。【選択図】図３
0003221351.tif 000002
【実用新案登録請求の範囲】
【請求項１】
収容体の一側に形成する第１収容溝と、
前記収容体の他側に形成する第２収容溝と、
前記第１収容溝に取り付ける、レンズモジュールと、
前記第２収容溝に取り付けていて、前記レンズモジュールに対応する、センシングモジュールと、
前記センシングモジュールと、前記第２収容溝との間に設ける緩衝具と、
前記第２収容溝の一側に取り付けていて、前記センシングモジュールと、前記緩衝具を覆うケーシングと、を含む収容体を有することを特徴とする、
ワイヤレス撮像レンズ構造。
【請求項２】
前記第１収容溝に形成する第１固定部と、前記第２収容溝に形成する第２固定部と、前記第２収容溝に形成するネジ締め付け穴と、前記第２収容溝に形成する２つの接続孔と、をさらに含む前記収容体を有することを特徴とする、請求項１記載のワイヤレス撮像レンズ構造。
【請求項３】
前記第１固定部に取り付ける防水レンズと、前記防水レンズの一側に取り付けて、前記防水レンズの焦点を調節する調節ユニットと、をさらに含むレンズモジュールを有することを特徴とする、請求項２記載のワイヤレス撮像レンズ構造。
【請求項４】
前記第２固定部に取り付ける電気回路板と、前記電気回路板に取り付けるセンシングユニットと、前記電気回路板に取り付けて、前記電気回路板と、前記センシングユニットに必要な電気を提供する電源供給ユニットと、前記電気回路板に取り付ける端子受台と、前記電気回路板に形成する少なくとも一つの締め付け穴と、をさらに含むセンシングモジュール、前記締め付け具によって、前記締め付け穴をネジ締め付け穴に締め付け、前記電気回路板を前記第２収容溝に固定することを特徴とする、請求項２記載のワイヤレス撮像レンズ構造。
【請求項５】
前記緩衝具が防塵ポリフォームであることを特徴とする、請求項１記載のワイヤレス撮像レンズ構造。
【請求項６】
ケーシングの一側に形成する接続部と、前記ケーシングに形成する表記符号と、前記ケーシングに形成するピン収容部と、ピン収容部に取り付けていて、端子受台と接続するため複数のピンを有するピン受台とをさらに含むケーシングを有することを特徴とする、請求項４記載のワイヤレス撮像レンズ構造。
【請求項７】
前記ケーシングの接続部を超音波溶接技術でもって、前記収容体に溶着することを特徴とする、請求項６記載のワイヤレス撮像レンズ構造。
【請求項８】
前記ケーシングが前記ケーシングの外側に取り付ける複数の固定具をさらに含むことを特徴とする、請求項６記載のワイヤレス撮像レンズ構造。
【考案の詳細な説明】
【技術分野】
【０００１】
本考案は車載用撮像レンズに関し、特にワイヤレス撮像レンズ構造に関する。
【背景技術】
【０００２】
車両の安全性を向上するために、車両まわりに撮像レンズを取り付けて、車両走行の際に車両まわりの影像を捕捉することによって、ブラインドスポットを防ぐとともに、ブラインドスポットによる危険を避ける。
【考案の概要】
【考案が解決しようとする課題】
【０００３】
しかしながら、一般車両に取り付ける撮像レンズは車体外部に突き出しており、外部の水気が撮像レンズに付着しやすく、撮像するときは水気によって影像を遮られ画像品質に影響する。
【０００４】
前述の状況を避けるため、撮像レンズのケーシングに防水設計を加えて防水効果を達成する。しかしながら、一般の車両用撮像レンズは電気ケーブルを介して電気と信号を伝搬されている。組み立てる際に電気ケーブルをケーシングに通すための手作業が必要なため、組み立てが難しいほか、撮像レンズを自動化作業で組み立てることができなかった。
【課題を解決するための手段】
【０００５】
以上の背景から、撮像レンズの自動組立を図るため、本案の考案者が鋭意研究し、創作を繰り返した結果、本案のワイヤレス撮像レンズを考案した次第である。
【０００６】
本考案は、主に収容体と、レンズモジュールと、センシングモジュールと、緩衝具と、ケーシングとによって組み合わされる、ワイヤレス撮像レンズ構造を提供する。そのうち、収容体に第１収容溝と、第２収容溝とを設けていて、かつ、レンズモジュールと、センシングモジュールとを設けられた第１収容溝と、第２収容溝に防水グルーを注入する。これによって、防水効果を達成する。
【０００７】
本案の主な目的を達成するため、本案の考案人より、係る収容体の一側に形成する第１収容溝と、係る収容体の他側に形成する第２収容溝と、係る第１収容溝に取り付ける、レンズモジュールと、係る第２収容溝に取り付けていて、かつ、レンズモジュールに対応する、センシングモジュールと、係るセンサーモジュールと、第２収容溝との間に設ける緩衝具と、第２収容溝の一側に取り付けていて、センシングモジュールと、緩衝具を覆うケーシングと、を含む収容体、を有するワイヤレス撮像レンズ構造が提供されている。
【考案の効果】
【０００８】
以下、本案のワイヤレス撮像レンズ構造を詳細に説明する。以下の説明より本案が次の長所を有していることは明らかである。
【０００９】
（１）本考案はワイヤレス撮像レンズ構造１に関する。主に収容体１１と、レンズモジュール１２と、センシングモジュール１３と、緩衝具１４と、ケーシング１５とによって組み合わされる。そのうち、収容体１１に第１収容溝１１１と、第２収容溝１１２とを設けていて、かつ、レンズモジュール１２と、センシングモジュール１３とを設けられた第１収容溝１１１と、第２収容溝１１２に防水グルーを注入することにより、防水効果が達成される。
【００１０】
（２）本考案において、超音波溶接技術を用いて、係るケーシング１５を収容体１１に溶着することで、収容面積を増やせるとともに、防水効果を達成できる。
【００１１】
（３）本考案でセンシングモジュール１３の端子受台１３４と、ケーシング１５のピン受台１５４を設けることによって、センシングモジュール１３の端子受台１３４がピン受台１５４を介して外部に接続される。さらに、ピン受台１５４のまわりに防水グルーを注入することで、防水効果が達成される。
【図面の簡単な説明】
【００１２】
【図１】本考案のワイヤレス撮像レンズ構造の第１立体図である。
【図２】本考案のワイヤレス撮像レンズ構造の第２立体図である。
【図３】本考案のワイヤレス撮像レンズ構造の断面図である。
【考案を実施するための形態】
【００１３】
本考案のワイヤレス撮像レンズ構造をより詳しく説明するため、図面と合わせて好ましい実施例を以下のとおり詳細に説明する。
【実施例】
【００１４】
図１ないし図３を合わせて参照する。それぞれ図１は本考案のワイヤレス撮像レンズ構造の第１立体図、図２は本考案のワイヤレス撮像レンズ構造の第２立体図、図３は本考案のワイヤレス撮像レンズ構造の断面図である。
図１ないし図３に示すように、本考案のワイヤレス撮像レンズ構造１が収容体１１と、レンズモジュール１２と、センシングモジュール１３と、緩衝具１４と、ケーシング１５とを含む。そのうち、係る収容体１１は、第１収容溝１１１と、第２収容溝１１２と、第１固定部１１３と、第２固定部１１４と、ネジ締め付け穴１１５と、２つの接続孔１１６とを含む。さらに、係る第１収容溝１１１を収容体１１の一側に形成し、第２収容溝１１２を収容体１１のもう一側に形成し、第１固定部１１３を第１収容溝１１１に形成し、第２固定部１１４を第２収容溝１１２に形成し、ネジ締め付け穴１１５を第２収容溝１１２に形成し、２つの接続孔１１６を第２収容溝１１２に形成する。
【００１５】
引き続き、レンズモジュール１２を第１収容溝１１１に取り付け、防水レンズ１２１と、調節ユニット１２２とをさらに含む。そのうち、係る防水レンズ１２１を第１固定部１１３に取り付け、調節ユニット１２２を防水レンズ１２１の一側に取り付けて、防水レンズ１２１の焦点調節に用いる。これにより、防水レンズ１２１は調節ユニット１２２によって、防水レンズ１２１と、センシングモジュール１３との間の焦点を調節することができる。
【００１６】
引き続き、図２と、図３とを参照する。図２と、図３に示すように、係るセンシングモジュール１３が第２収容溝１１２に取り付けていて、かつ、レンズモジュール１２対応されている。電気回路板１３１と、センシングユニット１３２と、電源供給ユニット１３３と、端子受台１３４と、少なくとも一つの締め付け穴１３５とをさらに含む。そのうち、電気回路板１３１を第２固定部１１４に取り付け、センシングユニット１３２を電気回路板１３１に取り付け、電源供給ユニット１３３を電気回路板１３１に取り付けて電気回路板１３１と、センシングユニット１３２に必要な電気を供給する。さらに、端子受台１３４を電気回路板１３１に取り付け、締め付け穴１３５を電気回路板１３１に形成する。締め付け具が締め付け穴１３５によって、ネジ締め付け穴１１５に締め付けて、電気回路板１３１を第２収容溝１１２に固定する。本考案において、係る締め付け具は例えば皿ねじであっても良い。
【００１７】
緩衝具１４をセンシングモジュール１３と、第２収容溝１１２との間に取り付けて、電気回路板１３１まわりのホコリを遮断しておく。さらに、ケーシング１５を第２収容溝１１２の一側に取り付けて、センシングモジュール１３と、緩衝具１４とを覆って置く。接続部１５１と、表記符号１５２と、ピン収容部１５３と、ピン受台１５４と、複数の固定具１５５をさらに含む。そのうち、接続部１５１をケーシング１５の一側に形成し、表記符号１５２をケーシング１５に形成して、撮像影像の方向を識別する。ピン収容部１５３をケーシング１５に形成し、ピン受台１５４をピン収容部１５３に取り付けていて、かつ、端子受台１３４と接続するための複数のピン１５４１を有する。
【００１８】
本考案において、係る固定具１５５をケーシング１５の外側に取り付けて、位置固定の機能を提供し、ピン受台１５４の挿入間違いによって折れることを防げる。
ここで特に説明すべきことは、係る緩衝具１４は例えば防塵ポリフォームであっても良い点である。さらに、ピン受台１５４のまわりに防水グルーを注入し、ケーシング１５の接続部１５１が超音波溶接技術によって、収容体１１に溶着されている。
【符号の説明】
【００１９】
１  ワイヤレス撮像レンズ構造
１１  収容体
１２  レンズモジュール
１３  センシングモジュール
１４  緩衝具
１５  ケーシング
１１１  第１収容溝
１１２  第２収容溝
１１３  第１固定部
１１４  第２固定部
１１５  ネジ締め付け穴
１１６  接続孔
１２１  防水レンズ
１２２  調節ユニット
１３１  電気回路板
１３２  センシングユニット
１３３  電源供給ユニット
１３４  端子受台
１３５  締め付け穴
１５１  接続部
１５２  表記符号
１５３  ピン収容部
１５４  ピン受台
１５５  固定具
１５４１  ピン
【図１】
0003221351.tif 000003
【図２】
0003221351.tif 000004
【図３】
0003221351.tif 000005
【手続補正書】
【提出日】平成31年3月14日(2019.3.14)
【手続補正１】
【補正対象書類名】実用新案登録請求の範囲
【補正対象項目名】全文
【補正方法】変更
【補正の内容】
【実用新案登録請求の範囲】
【請求項１】
収容体の一側に形成する第１収容溝と、
前記収容体の他側に形成する第２収容溝と、
前記第１収容溝に取り付ける、レンズモジュールと、
前記第２収容溝に取り付けていて、前記レンズモジュールに対応する、センシングモジュールと、
前記センシングモジュールと、前記第２収容溝との間に設ける緩衝具と、
前記第２収容溝の一側に取り付けていて、前記センシングモジュールと、前記緩衝具を覆うケーシングと、を含む収容体を有することを特徴とする、
ワイヤレス撮像レンズ構造。
【請求項２】
前記第１収容溝に形成する第１固定部と、前記第２収容溝に形成する第２固定部と、前記第２収容溝に形成するネジ締め付け穴と、前記第２収容溝に形成する２つの接続孔と、をさらに含む前記収容体を有することを特徴とする、請求項１記載のワイヤレス撮像レンズ構造。
【請求項３】
前記第１固定部に取り付ける防水レンズと、前記防水レンズの一側に取り付けて、前記防水レンズの焦点を調節する調節ユニットと、をさらに含むレンズモジュールを有することを特徴とする、請求項２記載のワイヤレス撮像レンズ構造。
【請求項４】
前記第２固定部に取り付ける電気回路板と、前記電気回路板に取り付けるセンシングユニットと、前記電気回路板に取り付けて、前記電気回路板と、前記センシングユニットに必要な電気を提供する電源供給ユニットと、前記電気回路板に取り付ける端子受台と、前記電気回路板に形成する少なくとも一つの締め付け穴と、をさらに含むセンシングモジュール、前記締め付け具によって、前記締め付け穴をネジ締め付け穴に締め付け、前記電気回路板を前記第２収容溝に固定することを特徴とする、請求項２記載のワイヤレス撮像レンズ構造。
【請求項５】
前記緩衝具が防塵ポリフォームであることを特徴とする、請求項１記載のワイヤレス撮像レンズ構造。
【請求項６】
ケーシングの一側に形成する接続部と、前記ケーシングに形成する表記符号と、前記ケーシングに形成するピン収容部と、ピン収容部に取り付けていて、端子受台と接続するため複数のピンを有するピン受台とをさらに含むケーシングを有することを特徴とする、請求項４記載のワイヤレス撮像レンズ構造。
【請求項７】
前記ケーシングが前記ケーシングの外側に取り付ける複数の固定具をさらに含むことを特徴とする、請求項６記載のワイヤレス撮像レンズ構造。